(57)【要約】扉によって閉じられた複数の開放した区画室と、自己充足式給水システムと、排水収集システムとを有する殻体を備える可動の安全適合装置である。給水システムは、飲料水と、微温手洗い水と、殻体にヒンジ止め可能に取り付けられた収容可能な洗眼器用の水とを提供する。排水収集システムは、洗眼器から及び殻体の凹状領域内に取り付けられたシンクから水を収集する。扉は取り外し可能であり、ストレッチャー又は自立テーブルのような代替的な用途を容易にする造作部を備えている。収容可能な座部及びテーブルが殻体にヒンジ止め可能に取り付けられている。装置は、電灯、水の加熱及び冷却装置、殻体に取り付けることのできる電子通信装置を作動させる補助電池を有する電気システムを含む。装置は、その移動を容易にする車輪と、車輪を地面に固着する定着点とを備えている。
2004511273.tif 000002
【特許請求の範囲】
【請求項１】
可動の安全適合装置において、
基部と、頂部と、該基部及び該頂部の間にある複数のほぼ垂直壁と、該垂直壁に接続されて複数の開放区画室を形成する複数のほぼ水平壁とを有する殻体と、
該殻体にヒンジ止め可能に取り付けられた複数の扉であって、扉が閉じたとき、区画室を閉じ、扉が開いたとき、区画室へのアクセスを可能にするように配置された前記複数の扉と、
区画室の１つに取り外し可能に格納された少なくとも１つの給水タンクと、その内部に保持された水を分配し得るように給水タンクに接続された装置とを含む給水システムと、
区画室の１つに格納された少なくとも１つの排水収集タンクと、該排水収集タンクに排水を運び得るように該排水収集タンクに接続された配管とを有する排水収集システムとを備える、可動の安全適合装置。
【請求項２】
請求項１の装置において、
殻体がプラスチック材料で出来ており、垂直壁及び水平壁が単一の装置として一体に成形される、装置。
【請求項３】
請求項１の装置において、
区画室が取り外し可能な仕切り部（ｄｉｖｉｄｅｒ）を有する、装置。
【請求項４】
請求項１の装置において、
扉が窓部分を有する、装置。
【請求項５】
請求項１の装置において、
殻体の一側部に対し隔たった平行な配置状態で基部にて殻体に取り付けられた１対の地面係合車輪を更に備え、該１対の車輪が装置を車輪上へ傾けて（ｔｉｐ）該車輪の動きを容易にすることを許容する、装置。
【請求項６】
請求項１の装置において、
殻体の基部が、１対の地面係合車輪とは反対側の基部の側部に少なくとも１つの地面係合フランジを備え、
該フランジが、該フランジを地面に固着することを許容する開口（ａｐｅｒｔｕｒｅ）を有する、装置。
【請求項７】
請求項１の装置において、
殻体の基部の下方に配置され且つ殻体の下方にほぼ中心決めされた隔たった１対の地面係合キャスタを更に備え、該装置はキャスタ上で釣り合ったとき、地面から僅かに持ち上げられ、これにより、装置がキャスタ上で地面に沿って移動するのを容易にするようにした、装置。
【請求項８】
請求項１の装置において、
装置を持ち上げる持上げ装置を取り付けるべく殻体の頂部に設けられた持上げ手段を更に備える、装置。
【請求項９】
請求項８の装置において、
持上げ手段が、頂部及び基部を貫通して伸びる垂下ロッドと、基部の下方に配置され且つロッドに係合する支持部材と、頂部にてロッドに係合するアイレットであって、装置が該アイレットにより持ち上げられたとき、装置の重量が支持部材により支持されるようにする前記アイレットとを備える、装置。
【請求項１０】
請求項１の装置において、
垂直壁の１つが、その一部分に取り外し可能に取り付けられた透明なシートを有する外面を備え、印刷材料を該外面上に表示し、前記透明なシートが印刷材料に対する耐候性カバーを提供するようにした、装置。
【請求項１１】
請求項１の装置において、
殻体に回動可能に取り付けられたほぼ平坦なテーブル部分を更に備え、
該テーブル部分が、殻体に対する収容位置（ｓｔｏｗｅｄ　ｐｏｓｉｔｉｏｎ）と、該テーブル部分が殻体から離れてほぼ水平位置まで回動される展開位置とを有する、装置。
【請求項１２】
請求項１の装置において、
殻体に回動可能に取り付けられた座部分を更に備え、
該座部分が、殻体に対する収容位置と、該座部分が殻体から離れてほぼ水平位置まで回動される展開位置とを有する、装置。
【請求項１３】
請求項１の装置において、
少なくとも１つの扉が取り外し可能であり、
該扉が、病人又は負傷者を運ぶためのストレッチャーとして使用することができるように取り付けられ且つ配置された複数のハンドルを備える、装置。
【請求項１４】
請求項１の装置において、
少なくとも１つの扉が、取り外し可能であり、また、支持脚部を該扉に接続して扉がテーブルとして使用することができるようにする手段を備える、装置。
【請求項１５】
請求項１４の装置において、
扉が、テーブルとして使用されるとき、面積を増し得るように展開される可動部分を有する、装置。
【請求項１６】
請求項１５の装置において、
可動部分が扉にヒンジ止め可能に取り付けられ、
扉が、扉内に格納されると共に、可動部分を支持し得るように部分的に伸長する複数の伸長可能なスラット（ｓｌａｔｓ）を更に備える、装置。
【請求項１７】
請求項１４の装置において、
扉に取り付けられた複数の取り外し可能な支持脚部であって、扉を取り外したとき、扉をテーブルとして使用し得るようにほぼ水平位置に支持する前記複数の取り外し可能な支持脚部を更に備える、装置。
【請求項１８】
請求項１の装置において、
殻体に取り付けられた洗眼器を更に備え、
該洗眼器が、給水システムから水を受け入れ、該水を分配し、分配された水を収集し且つ該水を前記排水収集システムに送る、装置。
【請求項１９】
請求項１８の装置において、
洗眼器が、殻体に対する収容位置と、殻体から外方に伸びる展開位置との間にて回動可能であるようにした、装置。
【請求項２０】
請求項１８の装置において、
洗眼器がその給水源よりも下方の位置に配置され、水が重力により洗眼器に流れるようにした、装置。
【請求項２１】
請求項１の装置において、
給水システム内に保持された水の一部分を加熱する加熱装置を更に備える、装置。
【請求項２２】
請求項２１の装置において、
給水システムが手洗い用の水を供給する洗浄水供給タンクを備え、
加熱装置が洗浄水供給タンク内に取り付けられる、装置。
【請求項２３】
請求項２１の装置において、
加熱装置が、給水システムから水を受け入れ、該水を加熱して第一の温度の温水を発生させ、次に、該温水を給水システムからの冷水と混合し、第一の温度よりも低い第二の温度の温水を提供する、装置。
【請求項２４】
請求項１の装置において、
殻体が、排水を収集するシンクを有する第一の凹状領域を備え、
該シンクが排水収集システムの配管と流体的に連通して、シンクにより収集した水を排水システムに運ぶようにした、装置。
【請求項２５】
請求項２４の装置において、
給水システムが手洗い用の水を供給する洗浄水供給タンクを備え、
該洗浄水供給タンクが、シンクよりも下方にあり、シンクの上方に配置された水分配管と、洗浄水の供給タンク及び水分配管の間に配置された水ポンプとを更に備え、
該水ポンプが、給水タンクと流体的に連通し、ポンプが作動されたとき、給水タンクから水を圧送するようにした、装置。
【請求項２６】
請求項２５の装置において、
水ポンプが殻体の基部に取り付けられる、装置。
【請求項２７】
請求項２４の装置において、
給水システムが飲料水供給タンクと、飲料水の水栓（ｓｐｉｇｏｔ）とを備える、装置。
【請求項２８】
請求項２７の装置において、
飲料水の供給タンクが、飲料水の水栓よりも上方に配置され、飲料水が重力によって水栓まで流れるようにした、装置。
【請求項２９】
請求項２８の装置において、
飲料水を冷却し得るように飲料水の供給タンクと飲料水の水栓との間に配置された冷却装置を更に備える、装置。
【請求項３０】
請求項２４の装置において、
全てが凹状領域内で殻体に取り付けられた、石鹸ディスペンサと、カップディスペンサと、眼鏡クリーナディスペンサと、ティッシュディスペンサとを更に備える、装置。
【請求項３１】
請求項２４の装置において、
殻体が、第一の凹状領域の下方に配置されて排水収集容器を保持する第二の凹状領域を有する、装置。
【請求項３２】
請求項１の装置において、
外部電源に接続可能な電源と、電気システムに一時的な電力を供給する蓄電池とを有する電気システムを更に備える、装置。
【請求項３３】
請求項３２の装置において、
電気システムが該装置の周りの領域を照明する少なくとも１つの照明灯を備える、装置。
【請求項３４】
請求項３２の装置において、
電気システムが注意を引く警報灯を備える、装置。
【請求項３５】
請求項３２の装置において、
殻体に取り付けられ且つ電気システムに接続された電子通信装置を更に備える、装置。
【請求項３６】
請求項１の装置において、
区画室の１つの内部にて殻体に取り付けられた応急処置キットを更に備える、装置。
【請求項３７】
可動の安全適合装置において、
基部と、頂部と、該基部及び該頂部の間にある複数のほぼ垂直壁と、該垂直壁に接続されて複数の開放区画室を形成する複数のほぼ水平壁とを有する殻体と、
該殻体にヒンジ止め可能に取り付けられた複数の扉であって、扉が閉じたとき、区画室を閉じ、扉が開いたとき、区画室へのアクセスを可能にするように配置された前記複数の扉と、
基部にて殻体に取り付けられた地面係合車輪と、
装置を持ち上げる持上げ装置を取り付けるため殻体の頂部に設けられた持上げ手段と、
区画室の１つの内部の少なくとも１つの給水タンクと、その内部に保持された水を分配し得るように給水タンクに接続された装置とを含む給水システムと、
区画室の１つの内部の少なくとも１つの排水収集タンクと、該排水収集タンクに排水を運び得るように排水収集タンクに接続された配管とを有する排水収集システムと、
殻体に接続されたシンクであって、該シンクにより収集された水を排水システムに運び得るように排水収集システムの配管と流体的に連通した前記シンクとを備える、可動の安全適合装置。
【請求項３８】
可動の安全適合装置において、
複数のほぼ垂直壁と、複数の開放区画室を形成し得るように一体に成形された複数のほぼ水平壁とを有するプラスチック殻体と、
殻体にヒンジ止め可能に取り付けられた複数の扉であって、該扉が閉じたとき、区画室を閉じると共に、扉が開いたとき、区画室へのアクセスを可能にし得るように配置され、少なくとも１つの扉が代替的な用途のための手段にて取り外し可能である、前記複数の扉と、
区画室の１つの内部にて取り外し可能に格納された少なくとも１つの給水タンクと、その内部に保持された水を分配し得るように給水タンクに接続された装置とを有する給水システムと、
区画室の１つの内部に格納された少なくとも１つの排水収集タンクと、該排水収集タンクに排水を運び得るように排水収集タンクに接続された配管とを有する排水収集システムと、
殻体に取り付けられた洗眼器であって、給水システムから水を受け入れ、該水を分配し、分配された水を収集し且つ該水を排水収集システムに送る前記洗眼器とを備える、可動の安全適合装置。
【請求項３９】
可動の安全適合装置において、
複数の開放した区画室を有する殻体と、
該殻体にヒンジ止め可能に取り付けられた複数の扉であって、扉が閉じたとき、区画室を閉じ、扉が開いたとき、区画室へのアクセスを可能にするように配置された前記複数の扉と、
殻体に接続された給水システムであって、少なくとも１つの水貯蔵タンクと、その内部に保持された水を分配する装置とを有する前記給水システムと、
少なくとも１つの排水収集タンクと、該排水収集タンクに排水を運び得るように排水収集タンクに接続された配管とを有する排水収集システムと、
殻体に取り付けられて、給水システムから水を受け入れる洗眼器と、
殻体に接続されたシンクであって、該シンクにより収集された水を排水システムへ運び得るように排水収集システムの配管と流体的に連通した前記シンクと、
給水システム内の水の一部分を加熱する加熱装置と、
殻体の周りの領域を照明し得るように殻体に取り付けられた電灯とを備える、可動の安全適合装置。
【請求項４０】
安全及び健康規則の基準に適合し得るように、装置及び材料を供給する方法において、
閉じることのできる区画室と、自己充足式給水システムと、排水収集システムとを有する可動の装置を製造する工程と、
規則の基準に適合するのに必要とされる装置及び材料を装置上又は装置の内部に格納する工程とを備える、供給方法。
【請求項４１】
請求項４０の方法において、
給水システム内に水を注入する工程と、
給水システム内の水の一部分を加熱する工程とを更に備える、方法。
【発明の詳細な説明】
【０００１】
【発明の背景】
１．発明の分野
本発明は、全体として、安全機器、より具体的には、格納、廃物の処分のための区画室を有する持運び可能な健康・安全適合装置、及び清掃、洗浄用の水利用システムに関する。この装置は、個人又は会社が健康安全規則に容易に適合することを可能にする。
【０００２】
２．背景情報
ＯＳＨＡ及びその他の健康・安全規則の導入は、業界に対し健康装置及び用具を仕事場に備えるため、かなりのコストを課している。健康・安全装置を提供する既存の方法には、多数の不利益な点がある。必要とされる健康・安全装置を１つずつ購入し且つそれらを全てしばしば整頓されない仕方にて仕事場で組み立てることにより法適合が実現されることがしばしばである。適宜な格納容器及び装置や用具をまとめる方法を見つけることは問題であることがしばしばである。滅菌処理した医療用具の適宜な格納方法で利用できるものとはない。医療・安全装置は、迅速にアクセス可能であるように整頓しなければならない。雑多に格納された装置は、この目的を損なうことになる。更に、装置及び用具を１つの仕事場から別の仕事場へ動かすことは、これら整頓の全ての努力を無効にし、また、コスト高となり且つ不便である。
【０００３】
健康装置及び安全装置は、相異するが、相補的な機能を有する。健康装置は、手及び眼の洗浄設備及び負傷を治療するため具合良く格納された応急処置キットを有している。安全装置は、通常、警告灯並びにベル、センサ、安全眼鏡及び呼吸器のような装置を含む。また、ポスター、警告、注意事項、手順等のような印刷した安全上の情報をかかる表示のため適宜な面が存在しない仕事場にて表示することが望まれることがしばしばである。
【０００４】
安全に関する法への適合化を図ることは、極めて費用がかかり、従って、一体化され小型で且つ持運び可能であり、しかも審美的に好ましい装置を提供することは、その法適合化の費用を著しく削減することができる。必要とされる全ての安全・健康装置を整頓された仕方にて特定の仕事の場に収納し且つその装置を悪天候から保護する単一の持運び可能な装置を備えることが望ましい。
【０００５】
色々な特定の目的のために設計された幾つかの持運び可能なカートが存在する。ギオバンネリ（Ｇｉｏｖａｎｎｅｌｌｉ）への米国特許第２，９０５，４８０号には、飲料水の供給源及び扉によって閉じられた多数の区画室を備えるキャリオールカートが開示されているが、この装置は、頂部に開口部を有してかなり小型であり、耐候性であるようにするための何らかの手段を備えるとは思われない。
【０００６】
プルマン（Ｐｕｌｌｍａｎ）への米国特許第５，３３３，８８５号には、フィシング装置を保持する色々な装置を備える、釣り人用に設計された持運び型カートが開示されている。
【０００７】
ブシオニ（Ｂｕｃｃｉｏｎｉ）への米国特許第５，７９７，６１２号には、ローラダライド上に内部バスケットを有し、ホッケー装置を受け入れ得るように特別に設計された持運び型カートが開示されている。
【０００８】
コルテッツ（Ｃｏｒｔｅｚ）への米国特許第５，２２４，２２０号には、物品を処分するための容器を有し、また、洗浄装置と、応急処置キットと、消火器とを保持する装置を有する持運び型リサイクリング及びワークセンタが開示されている。
【０００９】
ウェルシ（Ｗｅｌｃｈ）らへの米国特許第４，７９０，６１０号には、区画室内の材料を個々に視覚的に識別することを可能にする透明なカバーを有する複数の区画室を備える持運び型の非常医療用クラッシュカートが開示されている。該カートは、また、使い捨て物品のための一部分と、酸素タンクを取り付ける一部分とを更に備えている。
【００１０】
これらのカートの各々は、その所期の目的には十分に適しているが、その何れも健康・安全装置を仕事場に提供するのに特に十分に適したものではない。屋外で格納される設計とされたものはなく、また、洗浄のためのシンク又は排水を収集するための手段を備えるものは皆無である。
【００１１】
米国特許Ｄｅｓ．第３９１，３４３号には、石鹸、紙タオルを供給する装置及び使い捨て領域と一体化された持運び型シンク及び足踏みポンプが開示されている。
【００１２】
屋外用に設計された格納装置は、容易に移動可能な設計とされておらず、また、通常、車輪も無い。
当該出願人の発明は、従来の技術の制約及び短所を解決する可動の安全適合装置を提供するものである。
【００１３】
【発明の簡単な概要】
本発明は、基部と、頂部と、基部及び頂部間にあるほぼ垂直な複数の壁と、複数の開放区画室を形成し得るように垂直壁に接続されたほぼ水平な複数の壁とを有する殻体を備える可動の安全適合装置を提供するものである。複数の扉が殻体にヒンジ止め式に取り付けられ、扉が閉じたとき、区画室を閉じ且つ開けたとき、区画室へのアクセスを可能にするように配置されている。装置は、区画室の１つ内に取り外し可能に格納された少なくとも１つの給水タンクと、その内部に保持された水を分配し得るように給水タンクに接続された装置とを含む給水システムを備えている。該装置は、また、区画室の１つ内に格納された少なくとも１つの排水収集タンクと、その内部に排水を運び得るように排水収集タンクに接続された配管とを含む排水収集システムも備えている。殻体は、単一の装置として一体に成形された垂直壁及び水平壁を有してプラスチック材料で出来たものであることが好ましい。区画室は、取り外し可能な仕切りを有し、また、扉は窓部分を有することができる。
【００１４】
その動きを容易にし得るように装置の基部には車輪が設けられており、また、装置を地面に固着することを許容し得るようにフランジが基部に設けられている。該装置は、装置を通って基部の下方の支持部材まで伸びるロッドに接続された持上げ手段をその頂部に備えており、このため、持上げ荷重は頂部を通じて伝達されるのではなくて、装置の基部に伝達される。
【００１５】
装置の外面の一部分は、印刷情報を表示するために使用することができ、取り外し可能な透明シートで覆われている。収容可能なテーブル及び収容可能な座部も殻体の外側にヒンジ式に取り付けられている。
【００１６】
扉はその他の目的のため、取り外すことができる。１つの実施の形態において、複数のハンドルが扉に取り付けられ且つ扉を病人又は負傷者を運ぶためのストレッチャーとして使用することができるように配置されている。別の実施の形態において、扉は、その面積を拡大し得るように展開される可動部分と、扉に取り付けられ、取り外したとき、これにより扉を自立テーブルとして使用し得るようにほぼ水平の位置に支持する複数の取り外し可能な支持脚部とを備えている。
【００１７】
装置は殻体に取り付けられた洗眼器を備えている。該洗眼器は、給水システムから水を受け入れ、その水を分配し、分配された水を収集し且つその水を排水収集システムに送る。洗眼器は、殻体に対する収容位置と殻体から外方に伸びる展開位置との間にて回動可能である。洗眼器は、その給水源よりも下方に配置し、水が重力により洗眼器まで流れるようにすることが好ましい。
【００１８】
装置は、排水を収集し且つその排水を排水収集システムに送るシンクを有する凹状領域を備えている。石鹸ディスペンサ、カップディスペンサ、眼鏡クリーナディスペンサ、ティッシュディスペンサは、全て凹状領域内で殻体に取り付けられることが好ましい。装置は、手洗い水を温める水加熱装置を有することが好ましい。飲料水も提供され、また、選択的に、冷却することができる。
【００１９】
装置は、電源と、電灯に給電する補助蓄電池と、水の加熱及び冷却装置（これらが設けられるならば）とを有する電気システム及び殻体に取り付けることのできる電子通信装置を備えている。
【００２０】
装置は、色々な工業的用途に対する健康・安全基準の過程により課された基準との適合を可能にし、また、小型の可動のユニットにて、特定の仕事に必要とされる全ての装置及び用具に容易にアクセスすることを可能にする。
【００２１】
本発明の特徴、有利な点及び目的は、次の説明、特許請求の範囲及び図面を参照することにより、当該技術分野の当業者に明らかになるであろう。
【００２２】
【詳細な説明】
図１乃至図３を参照すると、本発明の好ましい実施の形態の一例が図示され、且つ全体として参照番号２０で示してある。本発明は、１つの持運び可能なユニットとして健康・安全基準に適合するに必要な装置及び用具を保持する可動の安全適合装置２０に関するものである。該装置は自己充足型給水システムと、排水収集システムとを備えている。好ましい実施の形態において、該装置は、洗眼ステーションと、手洗い用微温水を有するシンクと、飲料水と、電灯とを備えている。装置２０は、高さ約１８２．８８ｃｍ（６フィート）×幅約６０．９６ｃｍ（２フィート）×厚さ約６０．９６ｃｍ（２フィート）の細長い立方構造体であり、装置２０内に取り付けられた多数の要素を収容し且つ支持する区画室及び構造体から成る集合体を備えている。装置２０内に保持される装置及び物品は、ユーザの特定の必要条件に合うように選ぶことができる。
【００２３】
装置２０の中核は、４つの側部２４、２６、２８、３０と、ほぼ閉じた頂部２３２と、基部３４とを有する殻体２２である。殻体２２は、プラスチックで出来たものであることが好ましく、また、好ましくは回転成形法を使用して、好ましくは６．３５ｍｍ（１／４インチ）の肉厚にて単一部品として成形されることが好ましい。図４を参照すると、殻体２２は、複数のほぼ水平壁３８ａ乃至３８ｇに接続された複数のほぼ垂直内壁３６ａ乃至３６ｄを備えている。垂直壁３６と水平壁３８との組合せ体は、以下に説明するように、色々な物品を保持するために使用される複数の開放した区画室９４を形成する。壁３６、３８は区画室の所望の形態を形成し得るように、任意の適宜な配置状態の形態とすることができる。頂部及び基部は、ほぼ閉じた構造体であるから、一体に成形した壁３６、３８と共に、殻体２２に対し構造的強度及び剛性を提供する。
【００２４】
図５及び図６を参照すると、殻体２２の頂部３２には持上げ手段が設けられることが好ましい。該持上げ手段は、頂部３２及び基部３４を貫通して伸びる垂下ロッド４０と、基部３４の下方に配置され且つロッド４０に係合する支持部材４６と、アイレット４２であって、装置２０がアイレット４２により持上げられたとき、装置２０の重量が支持部材４６により支持されるように頂部にてロッドに係合する上記アイレット４２とを備えることが好ましい。好ましくは、垂直内壁３６は、その間及び殻体２２の頂部３２と基部３４との間を垂下ロッド４０が通るのを許容するようにする。垂下ロッド４０はねじ付きロッドであることが好ましく、アイレット４２は頂部３２を越えて伸びるその状態にて係合し、装置に対する持上げ手段を提供するようにする。垂下ロッド４０の下端４４は、基部３４及び支持部材４６を貫通し、この支持部材４６は、ナット４８を垂下ロッド４０の端部４４にて締め付けることにより基部３４に固着される。支持部材４６は、溝形材の脚部が基部３４に接触するように配置された金属構造用溝形材、好ましくは、アルミニウムの一部分であることが好ましい。アイレット４２には、クレーン、ヘリコプター又はその他の吊下げ装置に取り付けられたケーブルのフックが係合して、装置２０を安全に持上げ且つ所望の位置まで運ぶことを可能にすることができる。持上げ荷重は、垂下ロッド４０を通じて基部３４に伝達され、装置２０の重量はかなりの数の垂直壁３６とほぼ整合された支持部材４６によって支持される。持上げ装置にスプレッダバーを使用することにより、複数の装置２０を互いにまとめて同時に持上げることができる。
【００２５】
装置２０は、基部３４に沿った側部２８に配置された１対の車輪５２と、頂部３２にて側部２８に沿って配置されたハンドル５４とを備えている。装置２０を動かすためには、ハンドル５４を引張ることにより、装置は車輪５２上で傾け、また、装置を手押し車のように車輪で動かすことができる。少なくとも１つ、好ましくは１対の地面係合フランジ５６を基部３４に沿って側部２４に配置する。これらのフランジ５６は、定着点として機能し、図７に図示するように、ボルト、垂直棒又はその他の締め付け装置のような装置によりフランジ５６を地面又は床に固着することを許容する開口５８を備えている。フランジ５６の底部及び車輪５２の底部は、装置が垂直に立つとき、平坦な地面の表面にほぼ接触する。装置２０を傾けずに、平坦な面に沿って動かすためには、キャスタ５０を基部３４の下方に配置し且つ支持部材４６に隔たった関係にて取り付けることが好ましい。基部３４は曲線状の下面６０を有しており、このことは、支持部材４６を下面６０に沿って配置し、キャスタが殻体の下方のほぼ中央に配置され、キャスタ５０の底部が地面の表面に接触し、フランジ５２を地面から僅かに持上げることを可能にする。車輪５２及びフランジ５６は、装置２０がキャスタ５０上で釣り合ったとき、地面から僅かに持上げられ、これにより、キャスタ上で地面に沿って装置を移動させることを容易にし、装置２０が移動するとき、車輪５２及びフランジ５６は地面にぶつかることがある。
【００２６】
図１を再度参照すると、側部２４はほぼ平坦であり、印刷材料６４を表示するため、その外面が使用されることが好ましい上側部分６２を備えている。透明なシート６６は、部分６２上に取り外し可能に取り付けられ、部分６２上に表示された材料に対する耐候性カバーを提供する。
【００２７】
側部２４の下側部分は、また情報を表示するために使用することができるが、ヒンジ７０にて側部２４に回動可能に取り付けられたほぼ平坦なテーブル部分６８を有することが好ましい。テーブル部分６８は、該テーブル部分６８が側部２４に対し固着される収容位置を有している。該テーブルは、また該テーブルが側部２４から離れて上方に回動され、支持部材７２が好ましくは該テーブル部分と側部２４の底部との間に配置され、テーブル部分６８がほぼ水平位置に支持される位置である、仮想線で示した展開位置も有している。支持部材７２は、テーブル部分６８の下方に又は装置２０の内部区画室の１つに折畳まれる、図示したように、別個の要素とすることができる。これと代替的に、支持部材７２は、図８に図示したものと同様に、側部２４にヒンジ止め可能に取り付けられた１つ又はそれ以上の三角形の要素としてもよい。
【００２８】
図２及び図８を参照すると、側部２８は、テーブル部分６８と同様に該側部にヒンジ止め可能に取り付けられるが、座るのに適した高さとなるように殻体２２にて下方に取り付けられた座部９０を有している。座部９０は、図２に図示するように、側部２８のほぼ全幅とすることができるが、図３及び図８に図示するように、部分幅のみとすることもできる。座部９０は図１に図示した収容位置と、図８に図示した展開位置とを有している。展開位置において、座部９０は支持部材９２により支持され、該支持部材９２は側部２８にヒンジ止め可能に取り付けられた三角形の要素であることが好ましい。全幅座部９０の場合、２つの支持要素９２を使用することが好ましいであろう。
【００２９】
図１乃至図３及び図７を参照すると、装置２０は、殻体２２の隅部にヒンジ止め可能に取り付けられた複数の全幅扉６８、７０、７２を有している。これらの扉が閉じたとき、区画室９４を閉じ且つ開けたとき、複数の区画室へのアクセスを可能にし得るように配置されている。殻体２２は、隅部に突出部７４を有し、該突出部７４は、扉の突出部７６と協働してヒンジを形成する。ヒンジピン８０は、突出部７４、７６の開口を通り且つ扉を殻体２２に取り付ける。ヒンジピン８０は、扉を迅速に且つ容易に取り外し得るように容易に取り外し可能である。
【００３０】
扉６８、７０、７２は、１つの扉の機能に加えて追加的な機能を有することができる。図示した扉６８は、ユーザが扉の後方にあるものを迅速に確認することを許容する窓部分７６を有している。この窓部は、装置２０を治療用の外傷がある状況にて使用し、多岐に亙る医療用具を扉の後方の区画室内に格納すべきとき、極めて有用である。
【００３１】
図２、図３及び図９乃至図１２を参照すると、扉７０、７２を殻体２２から取り外したとき、これらの扉は、それぞれストレッチャー及びテーブルとしてのような代替的な用途を有している。これらの扉は、成形プラスチックで出来ており、追加的な機能を提供する、合板のような挿入体を受け入れる凹状部分を有している。図９に図示した扉７０は、ストレッチャーとして機能する。合板のような強化挿入体７８が扉７０に締結され、図示した４つのロープハンドルのようなハンドル８１を有しており、病人又は負傷者を運ぶため人間が扉７０を持上げるのを容易にする。挿入体７８を有する扉７０は、その扉の上に人間を支持するのに十分に剛性で且つ丈夫である。これと代替的に、扉７０は、強化挿入体を必要とせずに、成形したとき十分な剛性を有するように形成してもよい。
【００３２】
扉７２は、図示するように、支持脚部を該扉に接続し、殻体２２から取り外したとき、扉を自立テーブルとして使用できるようにする手段を有している。扉７２は、好ましくは、その面積を増し得るように回動させ又は伸長させることにより展開される可動部分を有することが好ましい。図１０乃至図１２に図示するように、扉７０は、扉７２に締結された第一の部分８２ａと、個々のヒンジ８４又は単一の長いヒンジによる如く第一の部分８２ａにヒンジ止め可能に接続された第二の部分８２ｂとを有する合板挿入体８２を備えている。スラットが第一の部分８２と扉７２との間のキャビティ内に格納されている。部分８２ｂが開いたとき、スラット８６は、図１１乃至図１２に図示するように、部分的に外方に引き出されて扉を支持する。脚部８８は、部分８２ａ、８２ｂを貫通して部分的に開口９０内に取り付けられ、テーブルをほぼ水平位置に支持する。図示するように、６つの脚部を使用することができ、又はテーブルは、各隅部に１つの脚部があるように、４つのみの脚部を有するようにしてもよい。
【００３３】
再度図３を参照すると、側部３０は、扉７０、７２が区画室の前方で閉じる状態で複数の内部区画室に開放アクセスすることを可能にする。図示した好ましい実施の形態に関して区画室の幾つかの典型的な配置及び使用について説明するが、区画室は、多くのその他の形態とし且つ使用することができる。
【００３４】
下側区画室９４ａは、給水タンク９６と、排水貯蔵タンク９８と、洗眼排水タンク１００とを保持することが好ましい。区画室９４ａに隣接する下側区画室９４ｂは、典型的に、大きく且つ重い物を保持し、２つの消火器１０２又は酸素容器を保持するのに十分に大きい。中間区画室９４ｃ、９４ｄは、持運び可能な応急処置キット１０４、持運び型除細動器、毛布又はその他の嵩張る物のような中程度寸法及び重量の物用に設計され、又は、本、マニュアル又は材料の安全データシートのようなその他の重要な情報を保持する設計とされている。永久的な応急処置キット１０６が上側区画室９４ｃ内に取り付けられ、この上側区画室の上方には、洗眼給水タンク１０８が取り外し可能な拘束具１１０の後方にて上側区画室９４ｆ内に格納される。上側区画室９２ｇは、仕切り部１１１により仕切った複数のより小さい副区画室に分割されている。これらの副区画室は、安全眼鏡、防塵マスク、耳栓、呼吸器等のような小型で且つ軽量な物を格納するために使用することができる。副区画室は、図示するように開いた区画室とし、又は、これらの副区画室は、対象物を保持するための引出し又はバスケットを有することができる。
【００３５】
図２及び図１３を参照すると、装置２０は、ブラケット１１４により側部２８に回動可能に取り付けられた収容可能な洗眼器１１２を有することが好ましい。洗眼器１１２は、洗眼器が側部２８に対して上方に回動される、図２に示す収容位置と、図１３に図示するように、側部２８から外方に伸びる展開位置とを有している。洗眼器は、ブラケット１１４と協働する回動部材の摩擦により、又はフック及びループ締結具、スナップ又はラッチのような止め具によって収容位置に保持することができる。洗眼器１１２の上方に配置された洗眼給水タンク１０８により可撓性の給水管１１６及び弁１１８を通して洗眼器１１２に水が供給される。給水タンク１０８が洗眼器１１２よりも約６０．９６ｃｍ（２フィート）上方の位置に配置されているとき、重力が洗眼器１１２を作動させるのに十分な水の流れを供給する。可撓性の給水管１１６は洗眼器１１２の内部を通り且つノズル部分１２０に接続し、該ノズル部分１２０は、凹状部分１２２に開口を有し、この開口を通って水が流れ、ユーザの眼を洗浄する。洗眼器１１２は、使用済みの水を収集し且つその水を可撓性の配水管１２６を通して洗眼器の排水タンク１００に送る水溜め１２４を有している。洗眼器の給水タンク１０８は、水を温め、その水をユーザにとってより快適にすべく取り付けられた、好ましくは電気式加熱要素１６５を有することができる。
【００３６】
図１４及び図１５を参照すると、側部２６、２８の接続部にて殻体２２のほぼ上側半隅部は、シンク１２８を受け入れる、第一の凹状領域を有している。該凹状領域は、側部２６から内方に伸びる壁１３０と、側部２８から内方に伸びて殻体２２の中心付近にて隅部を形成する壁１３２と、底部の棚状部分１３４と、頂部の天井部１３６とにより境が設定される。壁１３０、１３２は、石鹸ディスペンサ１３８、カップディスペンサ１４０、レンズクリーナーディスペンサ１４２のような物を取り付ける部分を提供する。ナプキン又はティッシュディスペンサ１４４のようなその他の物を天井部１３６に取り付けることができる。飲料水の水栓１４６が壁１３０に取り付けられることも好ましい。飲料給水タンク１４８が壁１３０に隣接し且つ水栓１４６よりも上方にて上側区画室９４ｈ内に格納されて、可撓性の飲料給水管１５０を通じて水栓１４６に飲料水を容易に重力供給することを許容する。給水タンク１４８を容易に接続解除し且つ再充填のため取り外すことを許容し、また、タンクを接続解除したとき、給水管１５０から水が漏れるのを防止するため、飲料給水タンク１４８付近にて給水管１５０に急速接続具１５２を取り付けることが好ましい。選択的な冷却装置１５４を含め且つ給水管１５０に接続して、飲料水が水栓１４６から出る前に、飲料水を冷却することができる。
【００３７】
図１５を参照すると、シンク１２８が洗浄水の分配管１５６と共に、棚状部分１３４内に取り付けられている。シンク１２８は、棚状部分１３４の切欠き内に取り付けられた、図１６及び図１７に示したような、別個の水溜めであることが好ましい。シンク１２８の張出し部１５８は、棚状部分１３４に着座し且つ締結具により該棚状部分に固着される。これと代替的に、シンク１２８は、棚状部分１３４と一体に成形することができる。可撓性の排水管１６０がシンク１２８の排水ポート１６２と排水貯蔵タンク９８との間に接続されている。
【００３８】
手洗い用の水は、給水タンク９６から水分配管１５６に供給される。給水タンク９６は水分配管１５６の下方にあるから、基部３４内に取り付けられた足踏み作動ポンプ１６２のような、ポンプを使用して水を可撓性の給水管１６４を通じて圧送する。手洗い用の水は給水タンク９６内に取り付けられた電気式加熱要素１６５により加熱することが好ましい。これと代替的に、ポンプ１６２と水分配管１５６との間にて水加熱要素１６６を水分配管１５６に接続し、水分配管から出る水が温水となるようにしてもよい。加熱装置１６６は、給水管システムから水を受け取り、その水を加熱し、第一の温度の温水を発生させ、次に、その温水を給水システムからの冷水と混合し、第一の温度よりも低い第二の温度の温水を提供する。図１８も参照すると、水加熱装置１６６は、冷水供給管１７０と温水排出管１７２との間に接続された、ニードル弁のような、可調節型バイパス弁１６８を有する従来のシンク下方の水ヒータとすることができる。水ヒータ１６６を通らずに、バイパス弁１６８を通って流れる冷水の量は、弁１６８により調節して、排出管１７２を通って分配管１５６まで流れる水の温度を設定すべく弁１６８により調節する。タンク内の加熱要素は、水を加熱するための簡単な手段であるが、水タンクの全体を加熱することを必要とする。水の加熱装置１６６は、水のより小さい部分を加熱することができ、より複雑ではあるが、よりエネルギ効率的である。
【００３９】
殻体２２は、シンク１２８の下方にて側部２６の下側部分に第二の凹状部分１７４を有しており、該第二の凹状部分は、排水収集容器１７６を保持することが好ましい。取り外し可能なパネル１７８は、凹状部分１７４の一部分を覆い、排水収集タンク１７６を保持する。
【００４０】
再度、図１４を参照すると、追加的な区画室９４ｉ、９４ｊがシンク１２８の左側部２６に配置され、区画室９４ｈと共に、扉６８により閉じられる。飲料水の給水タンク１４８を保持する区画室９４ｈは、その区画室の上方に別の閉塞パネル１８０を有し、扉６８を開けたとき、給水タンク１４８が偶発的に区画室９４ｈから落ちることはない。閉塞パネル１８０は、透明とし且つ側部２６にヒンジ止め可能に取り付けることができる。下側区画室９４ｊは、所望であるならば、副区画室に更に分割することができ、又は該下側区画室は酸素容器１８２又は消火器のような大型で且つ重い物を保持し得るように大きいままであるようにしてもよい。
【００４１】
蓄電池１８４が区画室９４ｊの底部に格納され、装置２０に対し直流補助電力を供給することが好ましい。電源及びコンバータ１８６は、区画室９４ｉのような１つの区画室に取り付けられ、該区画室と蓄電池１８４及び頂部３２における色々な照明及び通信装置との間に接続された電線１８８を有している。電源コード１９０もまた電源及びコンバータ１８６に接続され、基部３４付近にて装置２０から伸びて１１０Ｖ交流電源に差し込む。水ヒータ１６６及び冷却装置１５４、及び電源並びにコンバータ１８６に給電する交流電源が使用される。
【００４２】
再度、図１及び図２を参照すると、頂部３２は、装置２０の周りの領域を照明する電灯１９２と、注意を引くために明滅し又は回転する警報ビーコンのような警報灯１９４とを有している。頂部３２はまた、側部２４の上方に凹状区画室１９４を有しており、該区画室は必要に応じて容易に取り外して且つ使用することのできるエアホーン１９８を保持する。電子通信装置が頂部３２内に配置されることも好ましい。かかる装置は、全地球測位衛星（ＧＰＳ）のような位置探知装置２００と、ラジオ、電話又はコンピュータ通信用のような通信装置２００とを含むことができる。
【００４３】
再度、図３を参照すると、装置２０は、特殊な物品の組立体を保持しており、装置２０の中身を特注化し特定の用途に合うことを許容する多数の区画室９４を有している。
【００４４】
例えば、災害地区生存／支援装置は、１２Ｖ電灯、毛布、テント、ストレッチャー、安全帽、衣類、大きいゴミ袋、散水用ホース、バケツ、ピック、シャベル、ストーブ、ガス缶、バリケードテープ、氏名監査フォルダ、及び非常用ビーコンのような物品を保持することができる。
【００４５】
除染装置は、ポリ防水シート、ゴミ袋、危険廃棄物袋、ケーブルタイ、ダクトテープ、はさみ、耐酸性手袋、耐溶剤性手袋、手袋ライナー、ケミカルブーツ、安全服、ケミカルエプロン、散水用ホース、バケツ、洗浄ブラシ、スポンジ、長柄ほうき、塵取り、安全眼鏡、空気パック及び折畳みチェア又はスツールのような物品を保持することができる。
【００４６】
流出処理装置は、吸着ボール、酸中和剤、流出パッド／クッション／ソックス、耐酸性手袋、耐溶剤性手袋、手袋ライナー、ケミカルブーツ、安全服、ケミカルエプロン、ＳＣＢＡ５分間脱出パック、「注意」「立ち入り禁止」テープ、はさみ、イエローコーン、空気パック及び折畳みチェア又はスツールのような物品を保持することができる。
【００４７】
呼吸保護装置は、呼吸器、プラスチックバッグ、バケツ、排出栓、防塵マスク、眼保護装置、ガス検知器、水銀漏洩キット、酸中和剤、塩基中和剤、吸着性布、プラスチックシート、ＳＣＢＡ５分間脱出パック、シャベル、流出パッド／枕／ソックス、衛生拭き取り紙、交通遮断コーンのような物品を保持することができる。
【００４８】
医療装置は、生物危険廃棄物ゴミ袋、タオル、各種の毛布、漂白布、血液及び流体の清浄化キット、頚部カラー、ＣＰＲマスク、除細動器、ダクトテープ、非常用応急処置キット、過酸化水素、検査手袋及びライナー、酸素容器、流出パッド、副木キット、ストレッチャー、テープ、負傷者選別タグ、ＳＣＢＡ５分間脱出パックのような物品を保持することができる。
【００４９】
上述したようなその他の構造体、装置及びシステムを内蔵すると共に、装置の各々を特定の必要性に合うように特注化することが可能であることは、装置２０に対し各種の工業的用途のため、健康及び安全基準の双方に課される基準に適合し、また、小型の可動なユニットにて特定の仕事に必要な全ての装置及び用具への迅速なアクセスを容易にすることを可能にすることになる。
【００５０】
上記の説明及び添付図面は説明のためであり、限定的な意味で解釈されるべきではない。本発明は、好ましい１つ又は複数の実施の形態に関して開示したが、特許請求の範囲により規定された本発明の範囲に属するその他の実施の形態が存在することを理解すべきである。
【図面の簡単な説明】
【図１】
本発明の可動の安全適合装置の１つの好ましい実施の形態の斜視図である。
【図２】
図１の方向と反対方向から見た図１の可動の安全適合装置の斜視図である。
【図３】
内部の区画室を示すべく扉が開いた状態を示し、また、区画室内に格納することのできる幾つかの物品を示す図２の図である。
【図４】
図３の線４−４に沿った装置の部分の断面図である。
【図５】
上方から装置を持上げることを容易にし得るように装置に取り付けられた垂下ロッド及び構造用溝形材の斜視図である。
【図６】
図２の線６−６に沿った断面図である。
【図７】
扉のヒンジを分解図で示し、装置を地面に締結する方法を示す図２の一部分の詳細図である。
【図８】
座部を示す図２の一部分の詳細図である。
【図９】
ストレッチャーとして使用することのできる、図２の装置からの扉の斜視図である。
【図１０】
テーブルとして使用することのできる、図２の装置からの扉の斜視図である。
【図１１】
展開した扉内の挿入体と、テーブルを形成し得るように取り付けられた脚部とを示す図１０の図である。
【図１２】
図１１の線１２−１２に沿った断面図である。
【図１３】
装置に取り付けられた収容可能な洗眼器及びその関係した給水システムを示す図２に示した装置の一部分の詳細図である。
【図１４】
シンク領域を示す、図１及び図２の間の別の角度から見た図１の装置の斜視図である。
【図１５】
手洗い水及び飲料水システムを示す、図１４の一部分の詳細図である。
【図１６】
装置内に取り付けられたシンクの斜視図である。
【図１７】
図１６のシンクの側面図である。
【図１８】
入口及び出口給水管及びバイパス弁を示す、装置内に取り付けられた水ヒータ装置の斜視図である。
【国際公開パンフレット】
2004511273.tif 000003
2004511273.tif 000004
2004511273.tif 000005
2004511273.tif 000006
2004511273.tif 000007
2004511273.tif 000008
2004511273.tif 000009
2004511273.tif 000010
2004511273.tif 000011
2004511273.tif 000012
2004511273.tif 000013
2004511273.tif 000014
2004511273.tif 000015
2004511273.tif 000016
2004511273.tif 000017
2004511273.tif 000018
2004511273.tif 000019
2004511273.tif 000020
2004511273.tif 000021
2004511273.tif 000022
2004511273.tif 000023
2004511273.tif 000024
2004511273.tif 000025
2004511273.tif 000026
2004511273.tif 000027
2004511273.tif 000028
2004511273.tif 000029
2004511273.tif 000030
2004511273.tif 000031
2004511273.tif 000032
2004511273.tif 000033
2004511273.tif 000034
2004511273.tif 000035
2004511273.tif 000036
2004511273.tif 000037
2004511273.tif 000038
2004511273.tif 000039
【国際調査報告】
2004511273.tif 000040
2004511273.tif 000041